(57)【特許請求の範囲】
【請求項１】
軟質耐火被覆材が取り付けられた金属製の天井梁と床梁にパネル状の区画壁が差し渡され、この区画壁が、梁下受金具と天井受レールを介して天井梁に、梁上受金具と床受レールを介して床梁に、それぞれ固定された区画壁の固定構造であって、前記梁下受金具と梁上受金具は、軟質耐火被覆材の厚みと略等しい距離を隔てたほぼ平行な梁固定部と部材固定部と、この梁固定部と部材固定部とを連結する連結部とからなる略エ字形の金属片であり、前記天井受レールは略コ字形の金属片であり、前記床受レールは第一片と第二片が略直角に連結した略Ｌ字形の金属片であり、前記区画壁には、上端の両側面に天井受レールのフランジの入る大きさに切欠された上側切欠部が、又、下端の片側面に床受レールの第二片の入る大きさに切欠された下側切欠部がそれぞれ設けられ、梁下受金具の梁固定部が天井梁に取り付けられ、この梁下受金具の部材固定部に天井受レールのウエッブが取り付けられ、梁上受金具の梁固定部が床梁に取り付けられ、この梁上受金具の部材固定部に床受レールの第一片が取り付けられ、区画壁が、上端の両側面に設けられている上側切欠部に天井受レールの両側のフランジを入れ、下端の片側面に設けられている下側切欠部に床受レールの第二片を入れた状態にして、天井受レールと床受レールに固定されていることを特徴とする固定壁の固定構造。
【発明の詳細な説明】
【０００１】
【発明の属する技術分野】
本発明は、軟質耐火被覆材が取り付けられた金属製の天井梁と床梁にパネル状の区画壁を固定する区画壁の固定構造に関する。
特に、耐火構造のユニット建物に好適な区画壁の固定構造に関する。
【０００２】
【従来の技術】
近年、防火地域や準防火地域等が指定され、この防火地域や準防火地域に建てる建物は耐火構造や準防火構造の如く耐火性能、防火性能のよいことが義務ずけられている。
又、共同住宅、病院、ホテル等を用途とした３階建て以上の建築物では、建築基準法で所定の耐火性能を有する耐火構造にすることが規定されている。
【０００３】
この耐火構造の建物は、建築基準法で規定されている構造物以外では、ＪＩＳに規定している耐火試験に合格する必要がある。
この耐火試験に合格するためには、規定の温度条件で加熱したとき、柱や梁等の鋼製の構造材が高温になって機械的強度が低下すること防ぐために、通常、鋼製の柱や梁等の構造材を耐火被覆材で覆っている。
【０００４】
かかる耐火構造の建物の一定の条件を満たす建物には、耐火性能のよい区画壁を設けることが規定されている建物が多い。
例えば、防火区画を区切る区画壁や、共同住宅の界壁や学校・病院等の間仕切り壁等の区画壁では耐火構造にすることが必要である。
そして、この区画壁を設ける手段としては、鉄筋コンクリート製の区画壁にしたり、押出成形セメント板や押出成形珪酸カルシウム板やＡＬＣ板（オートクレーブドライトウェイトコンクリート板）やＰＣ板（プレキャストコンクリート板）等の板をパネル状にした区画壁を取り付けることが多い。
【０００５】
一方、建物を運搬可能な大きさに分割した建物ユニットや屋根ユニット・屋根パネルを工場で製造し、この建物ユニットや屋根ユニット・屋根パネルを施工現場に運搬し、施工現場で組み立てて建物とするユニット建物は、現場施工期間が短く、しかも、精度がよいので、多く採用されている。
このユニット建物でも、柱や天井梁や床梁等の構造材に耐火被覆材を取り付けた耐火構造の建物が知られている。
【０００６】
例えば、特開平８−７４３４８号公報には、かかる耐火構造の建物が記載されている。
即ち、この建物の床構造は、断面略コ字形長尺体の金属製の床梁に当部材を取り付け、この当部材に床基盤材を取り付け、この床基盤材の上に床根太を取り付け、この床根太の上に床面材を取り付けたものであって、軟質耐火被覆材でこの床梁の側面と上面を覆い、且つ、この軟質耐火被覆材の両側を床基盤材の上面に当接した状態に、軟質耐火被覆材を取り付ける。
又、この建物の天井構造は、断面略コ字形長尺体の金属製の天井梁に当部材を取り付け、この当部材にブラケットを取り付け、このブラケットに通し材を介して天井面材を取り付けたものであって、このブラケットの中を通過させた軟質耐火被覆材で天井梁の側面と下面を覆い、且つ、この軟質耐火被覆材の両側を床基盤材の下面に当接した状態に、軟質耐火被覆材を取り付ける。
【０００７】
このようにして、天井梁と床梁とを軟質耐火被覆材と床基盤材とで囲んで、火災時に、天井梁や床梁が高温性能になることを防いでいる。
そして、隣接する建物ユニットの床梁間に軟質耐火被覆材を上方から押圧し、前記床面材とほぼ面一にした状態にして、ジョイント床面材を取り付け、隣接する建物ユニットの天井梁間に軟質耐火被覆材を下方から押圧し、前記天井面材と略面一にした状態にして、ジョイント天井面材を取り付けた構造をしている。
【０００８】
この床梁と天井梁との間に間仕切り壁等の壁を設ける場合には、壁パネルをジョイント床面材とジョイント天井面材との間に取り付け固定して壁としている。
このように、このユニット建物では、間仕切り壁等の壁パネルをジョイント床面材とジョイント天井面材とに固定し、床梁や天井梁に直接固定しない。
【０００９】
【発明が解決しようとする課題】
しかし、１戸の住宅内に設ける間仕切り壁の場合では、このような木質系や石膏ボード等のジョイント床面材やジョイント天井面材に壁パネルを固定してもよいが、耐火構造の建物に設ける区画壁の場合では、床梁から天井梁まで不燃材料で区切ることが必要である。従って、かかる壁の固定構造を採用することができない。
【００１０】
又、ユニット建物では、工場で製造したユニット建物を施工現場に運搬し、施工現場で複数個のユニット建物を据え付けて建物となすために、工場で、隣接する建物ユニット間にジョイント床面材やジョイント天井面材を取り付けることができない。
従って、このジョイント床面材やジョイト天井面材に取り付ける壁パネルは、これを現場で取り付けねばならず、現場施工工数が多くなり、現場施工工数の少ないというユニット建物の特徴がそれだけ削減されるという問題がある。
【００１１】
更に、上記ジョイント床面材やジョイント天井面材を固定する際に、釘やビス等を使用すると、軟質耐火材が破損することがある。
そこで、本発明の目的は、上記問題点を解消し、軟質耐火被覆材を取り付ける天井梁や床梁に区画壁等を、工場で、軟質耐火被覆材を破損することなく、金属等の不燃材で固定することのできる区画壁の固定構造を提供することである。
【００１２】
【課題を解決するための手段】
本発明は上記目的を達成するためになしたものであって、軟質耐火被覆材が取り付けられた金属製の天井梁と床梁にパネル状の区画壁が差し渡され、この区画壁が、梁下受金具と天井受レールを介して天井梁に、梁上受金具と床受レールを介して床梁に、それぞれ固定された区画壁の固定構造であって、前記梁下受金具と梁上受金具は、軟質耐火被覆材の厚みと略等しい距離を隔てたほぼ平行な梁固定部と部材固定部と、この梁固定部と部材固定部とを連結する連結部とからなる略エ字形の金属片であり、前記天井受レールは略コ字形の金属片であり、前記床受レールは第一片と第二片が略直角に連結した略Ｌ字形の金属片であり、前記区画壁には、上端の両側面に天井受レールのフランジの入る大きさに切欠された上側切欠部が、又、下端の片側面に床受レールの第二片の入る大きさに切欠された下側切欠部がそれぞれ設けられ、梁下受金具の梁固定部が天井梁に取り付けられ、この梁下受金具の部材固定部に天井受レールのウエッブが取り付けられ、梁上受金具の梁固定部が床梁に取り付けられ、この梁上受金具の部材固定部に床受レールの第一片が取り付けられ、区画壁が、上端の両側面に設けられている上側切欠部に天井受レールの両側のフランジを入れ、下端の片側面に設けられている下側切欠部に床受レールの第二片を入れた状態にして、天井受レールと床受レールに固定されているものである。
【００１３】
本発明における区画壁とは、耐火性能のよい板状体をパネル状にしたものであって、押出成形セメント板や押出成形珪酸カルシウム板やＡＬＣ板やＰＣ板等の不燃性の板をパネル状にしたものが好適である。特に、押出成形セメント板をパネル状にしたものが好適である。
又、本発明に使用する梁下受金具や梁上受金具の梁固定部に、部材固定部よりも天井梁や床梁の長手方向に長く伸びる延長部を設けていると、この延長部を天井梁や床梁に取り付ける際に、部材固定部が邪魔にならずに便利である。
【００１４】
又、梁下受金具や梁上受金具の部材固定部には、天井梁や床梁の幅方向に長く張り出す張出部を設けていると、天井梁や床梁の真下より張り出しただけ移動した場所に区画壁を設けることができるので、便利である。
又、床受レールの第一片を長くしていると、床梁より長くしただけ異なる位置に第二片を設けることができるので便利である。
【００１５】
本発明に使用する軟質耐火被覆材とは、曲げることのできる耐火性能の優れた被覆材であって、岩綿、ジルコン繊維等のセラミック繊維をフェルト状に加工したものや、水を含有したバルーンや水を高吸熱ポリマーによってゲル化した吸熱パックをこのフェルト状の中に入れたり、アルミニウム箔付きクロスで包み込んだものがある。
特に、水を高吸熱ポリマーによってゲル化した吸熱パックと、耐熱温度が１０００℃以上のセラミックフェルトとをアルミニウム箔付きクロスで包み込んだものが好ましい。
【００１６】
（作用）
本発明では、梁下受金具の梁固定部が天井梁に取り付けられ、この梁下受金具の部材固定部に天井受レールのウエッブが取り付けられているので、この天井受レールは天井梁に梁下受金具を介して強固に取り付けられている。
又、梁上受金具の梁固定部が床梁に取り付けられ、この梁上受金具の部材固定部に床受レールの第一片が取り付けられているので、この床受レールは床梁に梁上受金具を介して強固に取り付けられている。
【００１７】
そして、区画壁が、天井受レールと床受レールに固定されているので、この区画壁は、天井受レールと梁下受金具を介して天井梁に強固に取り付けられ固定されるし、又、床受レールと梁上受金具を介して床梁に強固に取り付けられ固定される。
又、このように区画壁は、天井梁と床梁に固定されているので、隣接する建物ユニットに関係なく、建物ユニットに区画壁を取り付けることができる。
従って、区画壁を工場等で建物ユニットに取り付けることができ、施工現場工数を削除することができる。
【００１８】
しかも、この区画壁が、金属製の梁下受金具、梁上受金具、天井受レール、床受レールを介して床梁や天井梁に取り付けられるので、火災時に、区画壁とその上下部分を通して反対側に延焼することがなく区画壁の役目を十分に果たすことができる。
本発明では、梁下受金具は、軟質耐火被覆材の厚みと略等しい距離を隔てたほぼ平行な梁固定部と部材固定部と、この梁固定部と部材固定部とを連結する連結部とからなる略エ字形の金属片であるので、この天井受レールに取り付けられた区画壁と天井梁との間には、梁天井金具の梁固定部と部材固定部と連結部で構成される開口を被覆材収納部とすると、この被覆材収納部と、この被覆収納部と略等しい距離の隙間が形成される。
【００１９】
又、梁上受金具は、軟質耐火被覆材の厚みと略等しい距離を隔てたほぼ平行な梁固定部と部材固定部と、この梁固定部と部材固定部とを連結する連結部とからなる略エ字形の金属片であるので、床受レールに取り付けられた区画壁と床梁との間には、この梁上受金具の梁固定部と部材固定部と連結部とで構成される開口を被覆材収納部とすると、この被覆材収納部と、この被覆収納部と略等しい距離の隙間が形成される。
従って、軟質耐火被覆材を、この被覆材収納部と隙間の中を通して天井梁や床梁を覆って取り付けることにより、釘やビス等を使用することなく取り付けることができ、軟質耐火被覆材が破損する心配がないし、この取り付けられた軟質耐火被覆材が部材固定部に係止されて外れない。
【００２０】
又、区画壁には、上端の両側面に上側切欠部が、又、下端の片側面に下側切欠部がそれぞれ設けられ、区画壁が、上端の両側面に設けられている上側切欠部に天井受レールの両側フランジを入れ、下端の片側面に設けられている下側切欠部に床受レールの第二片を入れた状態にして、天井受レールと床受レールに固定されているので、予め、天井梁に梁下受金具を介して天井受レールを、又、床梁に梁上受金具を介して床受レールを取り付け、区画壁の上端部を天井受レールの両側のフランジの中に入れ、区画壁の下端部を床受レールの第二片に押し付けた状態に、上端部を床受レールに固定し、上端部を床受レールに固定することにより、区画壁を簡単に取り付けることができる。
【００２１】
そして、上側切欠部は天井受レールのフランジの入る大きさであるので、天井受レールのフランジが上側切欠部の中にすっぽり入るし、又、下側切欠部は床受けレールの略Ｌ字形の第二片の入る大きさであるので、床受レールの第二片が下側切欠部の中にすっぽりと入り、区画壁の表面から天井受レールや床受レールが突出しない。
従って、区画壁に取り付ける珪酸カルシウム板や石膏ボード等の壁下地材や、化粧シート、壁紙、化粧珪酸カルシウム板等の壁仕上げ材を取り付けるときに、この天井受レールや床受レールが邪魔にならないし、又、この部分が突出せず壁下地材や壁仕上げ材を美麗に取り付けることができる。
【００２２】
【発明の実施の形態】
次に、本発明の実施の形態を実施例で説明する。
（実施例１）
図１〜図９は、本発明の一実施例を示すもので、図１はユニット建物を示す斜視図、図２は建物ユニットを示す一部切欠斜視図、図３は床梁と天井梁に区画壁が取り付けられ、軟質耐火被覆材が取り付けられる前の状態を示す中間部省略正面図、図４は軟質高い被覆材が取り付けられた図３のＡ−Ａ線における中間部省略断面図、図５（イ）は区画壁の表面を上にした状態を示す斜視図、（ロ）は区画壁の裏面を上にした状態を示す斜視図、図６（イ）は梁下受金具を示す斜視図、（ロ）は（イ）の平面図、（ハ）は（イ）の正面図、（ニ）は（イ）の側面図、図７は天井受レールを示す斜視図、図８は梁上受金具を示す斜視図、図９は床受レールを示す斜視図である。
【００２３】
Ｕはユニット建物であり、このユニット建物Ｕは、図１に示すように、基礎９９の上に１２個の建物ユニット１が据え付けられて１階が構成され、この１階の建物ユニット１の上に１２個の建物ユニットが据え付けられて２階が構成され、この２階の建物ユニット１の上に屋根パネル２（境界省略）が取り付けられ、この１階と２階のほぼ中央に界壁である区画壁３が取り付けられ固定されて４戸に分割された共同住宅である。
【００２４】
建物ユニット１は、図２に示すように、矩形状の四隅に立設された４本の柱１１と、この柱１１の下端部を矩形状の辺に沿って連結した４本の床梁１２と、柱１１の上端部を矩形状の辺に沿って連結した天井梁１３とからなる骨格を有する。
そして、この骨格の相対する床梁１２に鉄筋が埋設されたＡＬＣ板の床基盤材１４が差し渡されて取り付けられ、この上にパーチクルボード長尺体のスペーサー１５が取り付けられ、このスペーサー１５の上に木製の床根太１６が取り付けられ、この床根太１６の上にパーチクルボードの床面材１７が取り付けられて床が形成されている。
【００２５】
又、相対する天井梁１３に天井小梁１８が差し渡されて取り付けられ、この天井小梁１８の下側に天井野縁１９が取り付けられ、この天井野縁１９の下面に石膏ボードの天井面材１９ａが取り付けられて天井が形成されている。
尚、この天井梁１３と床梁１２には、図４に示すように、軟質耐火被覆材４が巻かれて取り付けられている。
又、外壁を設ける場所には、天井梁１３と床梁１２とに図示しない取付金具が取り付けられ、鉄筋が埋設されたＡＬＣ板の外壁パネルがこの取付金具に取り付けられている。
【００２６】
区画壁３は、図５に示すように、押出成形セメント板の本体３１の上端の両側面の所々に所定間隔を隔てて上側切欠部３２が切欠され、本体３１の下端の片側面の所々に所定間隔を隔てて下側切欠部３３が切欠されたものである。
軟質耐火被覆材４は、水を高吸熱ポリマーによってゲル化した吸熱パックと、耐熱温度が１０００℃以上のセラミックフェルトとを、アルミニウム箔付きクロスで包み込んだものであり、帯状や毛布状に加工されていて、天井梁１３や床梁１２の周囲に巻き付けることが簡単にできるものである。この軟質耐火被覆材４は、吸熱パックの水が蒸発することによって熱を奪い、天井梁１３や床梁１２の昇温を防止する機能を有するものである。
【００２７】
６は天井受レールであり、この天井受レール６は、図７に示すように、略平行なフランジ６１と、この両方のフランジ６１を連結したウエッブ６２とからなる略コ字形の金属片であって、ウエッブ６２の中央部には、取付孔６３が設けられている。
尚、このフランジ６１の大きさは区画壁３の上部切欠部３２の中にすっぽり入る大きさであり、略平行なフランジ６１間の距離は、区画壁３の厚みから両側の上部切欠部３２の深さを引いた長さにほぼ等しくなっている。従って、区画壁３の両側に上部切欠部３２部分に両側のフランジ６１を入れて、天井受レール６を区画壁３に取り付けることができるようになっている。
【００２８】
５は梁下受金具であり、この梁下受金具５は、図６に示すように、天井梁１３の下面に当接固定可能な形状の梁固定部５１と、天井受レール６に当接可能な形状の部材固定部５２と、この梁固定部５１と部材固定部５２とを連結する連結部５３とからなる略エ字形をしている金属片である。
そして、この梁固定部５１と部材固定部５２とは、軟質耐火被覆材４の厚みと略等しい距離を隔てて略平行になっていて、この梁固定部５１と部材固定部５２の間の開口が被覆材収納部５５となっている。
この梁下受金具５は、被覆材収納部５５を有する略コ字形をしている金属片を背中合わせに固着することによって製造される。
【００２９】
そして、この梁固定部５１には、部材固定部５２より天井梁１３の長手方向に長く伸びる延長部５６が設けられていて、この延長部５６には、リベットやビス等の止着具５６１（図３、図４に示す）を挿通させることのできる大きさの梁取付孔５７が設けられている。
又、部材固定部５２には、天井梁１３の幅方向で且つ建物ユニット１の内側方向に張り出す張出部５８が設けられていて、この張出部５８には、リベットやビス等の止着具５８１（図３、図４に示す）を挿通させるできる大きさの部材取付孔５９が設けられている。
【００３０】
８は床受レールであり、この床受レール８は、図９に示すように、第一片８１と第二片８２が略直角に連結した略Ｌ字形の金属片であり、この両方の片８１、８２には、それぞれ取付孔８１１、８２１が設けられている。
この第一片８１は第二片８２より長くなっている。
【００３１】
７は梁上受金具であり、この梁上受金具７は、梁下受金具５と略同じ形状をしている。
即ち、図８に示すように、床梁１２の上面に当接固定可能な形状の梁固定部７１と、床受けレール８に当接可能な形状の部材固定部７２と、この梁固定部７１と部材固定部７２とを連結する連結部７３とからなる略エ字形をしている金属片である。
そして、この梁固定部７１と部材固定部７２とは、軟質耐火被覆材４の厚みと略等しい距離を隔てて略平行になっていて、この梁固定部７１と部材固定部７２の間の開口が被覆材収納部７５となっている。
【００３２】
この梁下受金具７は、被覆材収納部７５を有する略コ字形をしている金属片を背中合わせに固着することによって製造される。
そして、この梁固定部７１には、部材固定部７２より天井梁１３の長手方向に長く伸びる延長部７６が設けられていて、この延長部７６には、リベットやビス等の止着具７６１（図３、図４に示す）を挿通させることのできる大きさの梁取付孔７７が設けられている。
又、部材固定部７２には、天井梁１３の幅方向で且つ建物ユニット１の内側方向に張り出す張出部７８が設けられていて、この張出部７８には、リベットやビス等の止着具７８１（図３、図４に示す）を挿通させるできる大きさの部材取付孔７９が設けられている。
【００３３】
９は床押さえ金具であり、この床押さえ金具９は床根太１６の高さと略等しい距離だけ隔てて設けられた略平行なフランジ９１と、この両方のフランジ９１を繋ぐウエッブ９２とからなる略コ字形の金属片であり、ウエッブ９２には通孔９３が設けられている。
９５は化粧珪酸カルシウム板の壁仕上げ材であり、この壁仕上げ材９５は、図４に示すように、固定壁３の両側面に取り付けられている。
【００３４】
次に、この区画壁３の固定構造を詳細に説明する。
図３及び図４に示すように、梁下受金具５の梁固定部５１が天井梁１３の所々に設けられている所定位置に押し付けられ、延長部５６に設けられている梁取付孔５７と天井梁１３に設けられている図示しない通孔とに通されたリベット５６１で梁下受金具５が天井梁１３に取り付けられている。
【００３５】
又、この梁下受金具５の部材固定部５２に天井受レール６のウエッブ６２が押し付けられ、ウエッブ６２に設けられている取付孔６３から梁下受金具５の張出部５８に設けられている部材取付孔５９に通されたリベット５８１で天井受レール６が梁下受金具５に取り付けられている。
又、梁上受金具７の梁固定部７１が床梁１２の所々に設けられている所定位置に取り付けられ、床受レール８の第一片８１が梁上受金具７の部材固定部７２にリベット７８１で取り付けられている。
【００３６】
そして、区画壁３に設けられている両側の上側切欠部３２に天井受レール６の略コ字形の両側のフランジ６１、６１を入れた状態にし、一方のフランジ６１に設けられている通孔から区画壁３に螺入したビス３８によって、区画壁３の上端部が天井受レール６に固定されている。
又、区画壁３に設けられている下側切欠部３３に床受レール８の第二片８２を入れ、この床受レール８の第一片８１の上に取り付けられた押さえ金具９で区画壁３の下端部を床受レール８の第二片８２に押し付けた状態にして、押さえ金具９がビス７８１で床受レール８に固定され、押さえ金具９のウエッブに設けられている通孔から区画壁３に螺入したビス３９によって、区画壁３の下部が床受レール８に固定されている。
【００３７】
そして、図４に示すように、区画壁３の上部では、所々に取り付けられた梁下受金具５間の幅と略等しいか若干大きな幅の軟質耐火被覆材４で、区画壁３が取り付けられた建物ユニット１の天井梁１３と、この建物ユニット１に隣接して据え付けられた建物ユニット１の天井梁１３を巻いた状態に、軟質耐火被覆材４が取り付けられている。
又、区画壁３の下部では、所々に取り付けられた梁上受金具７間の幅と略等しいか若干大きな幅の軟質耐火被覆材４で、区画壁３が取り付けられた建物ユニット１の床梁１２と、この建物ユニット１に隣接して据え付けられた建物ユニット１の床梁１２を巻いた状態に、軟質耐火被覆材４が取り付けられている。
【００３８】
尚、この軟質耐火被覆材４が区画壁３と天井梁１３や床梁１２の間を通過する際には、区画壁３と天井梁１３との間に、梁下受金具５や梁上受金具７の略平行な梁固定部５１、７１と部材固定部５２、７２との距離だけの隙間が有るので、この軟質耐火被覆材４がこの隙間を通過して取り付けられている。この際、軟質耐火被覆材４の幅が梁下受金具５や床上受金具７間の距離より若干大きい場合には、軟化耐火被覆材４の幅を若干縮まった状態になって通過する
このようになっているので、軟質耐火被覆材４の両側縁部は、梁下受金具５や梁上受金具７の被覆材収納部５５、７５を通って、部材固定部５２、７２に引っ掛かって軟質耐火被覆材４が外れなくなっている。
【００３９】
次に、このユニット建物Ｕの施工方法と区画壁３の作用について説明する。
工場で、図２に示すように、矩形状の四隅に４本の柱１１を立設し、この柱１１の下端部を矩形状の辺に沿って４本の床梁１２で連結し、柱１１の上端部を矩形状の辺に沿って天井梁１３で連結して建物ユニット１の骨格を製造する。
そして、この建物ユニット１の骨格の相対する床梁１２に床基盤材１４を差し渡して取り付け、この上にスペーサー１５を取り付けられ、このスペーサー１５の上に床根太１６を取り付け、この床根太１６の上に床面材１７を取り付けて床を形成する。
又、この建物ユニット１の骨格の相対する天井梁１３に天井小梁１８を差し渡して取り付け、この天井小梁１８の下側に天井野縁１９を取り付け、この天井野縁１９の下面に天井面材１９ａを取り付けて天井を形成する。
尚、区画壁３を取り付ける建物ユニット１の場合には、床面材１７を取り付ける前に、天井梁１３と床梁１２との間に区画壁３を取り付ける。
【００４０】
この区画壁３の取付方法について詳細に説明する。
先ず、図４に示すように、梁下受金具５の梁固定部５１を天井梁１３の所々に設けられている所定位置に押し付け、延長部５６に設けられている梁取付孔５７から天井梁１３に設けられている図示しない通孔に通したリベット５６１で梁下受金具５を天井梁１３に取り付ける。
すると、梁取付孔５７は部材固定部５２より長く延長された延長部５６に設けられているので、部材固定部５２が邪魔にならずに、梁下受金具５を天井梁１３に簡単に取り付けることができるし、部材固定部５２が梁固定部５１より室内方向に移動した状態に取り付けられる。
【００４１】
又、天井受レール６のウエッブ６２を梁下受金具５の部材固定部５２に押し付け、ウエッブ６２に設けられている取付孔６３から梁下受金具５の張出部５８に設けられている部材取付孔５９に通したリベット５８１で天井受レール６を梁下受金具５に取り付ける。
すると、部材取付孔５９は、天井梁１３の幅方向で且つ建物ユニット１の内側に張り出している張出部５８に設けられているので、天井受レール６を梁下受金具５に、天井梁１３から内側に突出した状態に、簡単に取り付けることができる。
【００４２】
又、梁上受金具７の梁固定部７１を床梁１２の所々に設けられている所定位置に押し付け、延長部７６に設けられている梁取付孔７７から床梁１２に設けられている図示しない通孔に通したリベット７６１で梁上受金具７を床梁１２に取り付ける。
すると、梁取付孔７７は延長部７６に設けられているので、部材固定部７２が邪魔にならずに、梁上受金具７を床梁１２に簡単に取り付けることができるし、部材固定部７２が梁固定部７１より室内方向に移動した状態に取り付けられる。
【００４３】
又、床受レール８の第一片８１を梁上受金具７の部材固定部７２に押し付け、第一片８１に設けられている取付孔８１から梁上受金具７の張出部７８に設けられている部材取付孔７９に通したリベット７８１で床受レール８を梁上受金具７に取り付ける。
すると、部材取付孔７９は、床梁１２の幅方向で且つ建物ユニット１の内側に張り出している張出部７８に設けられているので、床受レール８を梁下受金具５に、床梁１２から内側に突出した状態に、簡単に取り付けることができる。
【００４４】
次に、区画壁３の上端部を天井受レール６の中に挿入しながら、区画壁３の下端部を床受レール８の第二片８２に押し付け、ビス３８を取付孔８２１から区画壁３に螺入して区画壁３の上端部を天井梁１３に取り付ける。又、この区画壁３の下端部を床受レール８の第二片８２に押し付けた状態にして、この区画壁３の下端部に押さえ金具９を押し付け、この押さえ金具９のフランジ９１を床受レール８の第一片８１の上に取り付けると同時に、押さえ金具９のウエッブ９２に設けられている通孔から区画壁３に螺入した３９ビスで、区画壁３を床受レール８の第二片８２に押し付けた状態に固定する。
尚、この区画壁３の上端部を天井受レール６の中に挿入する際には、区画壁３の上端の両側面に設けられている上側切欠部３２の中に天井受レール６の両側のフランジ６１を挿入する。又、区画壁３の下端部を床受レール８の第二片８２に押し付ける際には、区画壁３の下端の片側面に設けられている下側切欠部３３の中に床受レール８の第二片８２を挿入する。
【００４５】
このようすると、天井受レール６は天井梁１３に梁下受金具６を介して強固に取り付けられるし、床受レール８は床梁１２に梁上受金具７を介して強固に取り付けられ、この天井受レール６と床受レール８に区画壁３が取り付けられているので、区画壁３を天井梁１３と床梁１２に強固に固定できる。
このようにして、天井梁１３に梁下受金具５の梁固定部５１を取り付け、この梁下受金具５の部材固定部５２に天井受レール６を取り付けると、天井梁１３と天井受レール６の間に、梁天井金具５の梁固定部５１と部材固定部５２と連結部５３で構成される被覆材収納部５５と、この被覆収納部５５と略等しい高さの隙間が形成される。
又、床梁１２に梁上受金具７の梁固定部７１を取り付け、この梁上受金具７１の部材固定部７２に床受レール８を取り付けると、床梁１２と床梁受レール８の間に、梁上受金具７の梁固定部７１と部材固定部７２と連結部７３とで構成される被覆材収納部７５と、この被覆収納部７５と略等しい高さの隙間が形成される。
次に、この区画壁３の両側面に壁仕上げ材９５を取り付ける。
【００４６】
このように壁仕上げ材９５を取り付けると、区画壁３の上側切欠部３２は天井受レール６が入る大きさであるし、下部切欠部３３は床受レールの第二片８２が入る大きさであるので、天井受レール６のフランジ６１が上側切欠部３２の中にすっぽり入るし、床受レール８の略Ｌ字形の第二片８２が下側切欠部３３の中にすっぽりと入るので、区画壁３の表面から天井受レール６や床受レール８が突出しない。
従って、区画壁３に取り付ける壁仕上げ材９５を取り付けるときに、この天井受レール６や床受レール８が邪魔にならないし、又、この部分が突出せず壁仕上げ材９５を美麗に取り付けることができる。
【００４７】
このように区画壁３を固定する作業は工場で行うので、現場施工工数が少なくなる。
このようにして区画壁３を取り付けた後に、床押さえ金具９の上や床根太１６の上に床面材１７を取り付ける。
又、屋根パネル２等を製造する。
このようにして製造した建物ユニット１や屋根パネル２等を施工現場に運搬する。
【００４８】
施工現場では、図１に示すように、予め設けられている基礎９９の上に１２個の建物ユニット１を据え付けて１階を構成し、この１階の建物ユニット１の上に１２個の建物ユニットを据え付けて２階を構成し、この２階の建物ユニット１の上に屋根パネル２を取り付ける。
この際、建物ユニット１の区画壁３が１階と２階の略中央になるように、建物ユニット１を据え付ける。
そして、建物ユニット１の床梁１２や天井梁１３や柱１１に軟質耐火被覆材４を巻いて、床梁１２、天井梁１３、柱１１の耐火性能を高める。
【００４９】
次に、区画壁３に設けられている天井梁１３や床梁１２に軟質耐火被覆材４を取り付ける方法について詳細に説明する。
図４に示すように、所々に取り付けられた梁下受金具５間の幅と略等しいか若干大きな幅の軟質耐火被覆材４を、区画壁３が取り付けられた建物ユニット１の天井梁１３と、この建物ユニット１に隣接して据え付けられた建物ユニット１の天井梁１３とを巻いて、取り付ける。
【００５０】
又、所々に取り付けられた梁上受金具７間の幅と略等しいか若干大きな幅の軟質耐火被覆材４を、区画壁３が取り付けられた建物ユニット１の床梁１２と、この建物ユニット１に隣接して据え付けられた建物ユニット１の床梁１２とを巻いて、取り付ける。
この際、区画壁３と天井梁１３や床梁１２との間には床下受金具５や床上受金具７によって、被覆材収納部５５、７５と、この被覆材収納部５５、７５と略等しい高さの隙間とが設けられているので、この軟質耐火被覆材４を被覆材収納部５５、７５と区画壁３と天井梁１３や床梁１２との間の隙間を通過させることができる。尚、この軟質耐火被覆材４の両側の縁部は梁下受金具５や梁上受金具７の被覆材収納部５５、７５の間を通過させる。
【００５１】
すると、軟質耐火被覆材４が、梁下受金具５や梁上受金具７の部材固定部５２、７２に係止されて外れないように取り付けられる。
このように、軟質耐火被覆材４を区画壁３と天井梁１３や床梁１２の間の隙間や被覆材収納部５５、７５の間を通って取り付ければよく、この軟質耐火被覆材４を、釘やビス等を使用することなく取り付けることができ、軟質耐火被覆材が破損することがない。
このようにして完成したユニット建物Ｕでは、区画壁３の下端部が床梁１２に、梁上受金具７、床受レール８に、又、区画壁３の上端部が、梁下受金具５、天井受レール６に取り付けられるというように金属片で連結されていて、火災になっても、区画壁３やこの区画壁３の周囲を通して反対側に延焼することがなく区画壁３の役目を十分果たすことができる。
【００５２】
【発明の効果】
本発明は、特許請求範囲に記載されているように構成されているから、次に示す効果がある。
即ち、区画壁の上端部が、梁下受金具、天井受レールを介して強固に取り付けられるし、区画壁の下端部が、梁上受金具、床受レールを介して強固に取り付けられる。
又、この梁下受金具、天井受レール、梁上受金具、床受レールはすべて金属片であり、火災になっても、区画壁を通して反対側に延焼することがなく区画壁の役目を十分果たすことができる。
【００５３】
又、天井梁と天井受レールの間と、床梁と床梁受レールの間には、それぞれ被覆材収納部と、この被覆材収納部と略等しい高さの隙間が形成され、軟質耐火被覆材をこの隙間を通過させると共に、この軟質耐火被覆材の両側縁部を被覆材収納部に入れて取り付けることにより、軟質耐火被覆材を、釘やビス等を使用することなく取り付けることができ、軟質耐火被覆材が破損することがないし、軟質耐火被覆材が部材固定部に引っ掛かって外れないように取り付けられる。
又、区画壁を取り付ける場合には、工場等で、天井梁に、梁下受金具と天井受レールを、又、床梁に梁上受金具と床受レールを取り付け、区画壁の上端部を天井受レールの両側のフランジの中に入れて取り付けたり、区画壁の下端部を床受レールの第二片に押し付けて取り付けることにより区画壁を簡単に取り付けることができるし、施工現場の施工工数が少なくなる。
【００５４】
この際、天井受レールの両側のフランジが区画壁の上側切欠部に入っているし、床受レールの第二片が区画壁の下側切欠部に入っているので、区画壁の表面から天井受レールや床受レールが突出せず、区画壁に取り付ける珪酸カルシウム板や石膏ボード等の壁下地材や、化粧シートや壁紙や化粧珪酸カルシウム板等の壁仕上げ材を取り付けるときに、この天井受レールや床受レールが邪魔にならないし、又、この部分が突出せず美麗に壁下地材や壁仕上げ材を取り付けることができる。
【図面の簡単な説明】
【図１】本発明の一実施例を示すもので、ユニット建物を示す斜視図である。
【図２】建物ユニットを示す一部切欠斜視図である。
【図３】床梁と天井梁に区画壁が取り付けられ、軟質耐火被覆材が取り付けられる前の状態を示す中間部省略正面図である。
【図４】軟質高い被覆材が取り付けられた図３のＡ−Ａ線における中間部省略断面図である。
【図５】（イ）は区画壁の表面を上にした状態を示す斜視図、（ロ）は区画壁の裏面を上にした状態を示す斜視図である。
【図６】（イ）は梁下受金具を示す斜視図、（ロ）は（イ）の平面図、（ハ）は（イ）の正面図、（ニ）は（イ）の側面図である。
【図７】天井受レールを示す斜視図である。
【図８】梁上受金具を示す斜視図である。
【図９】床受レールを示す斜視図である。
【符号の説明】
Ｕ                  ユニット建物
１                  建物ユニット
２                  屋根パネル
３                  区画壁
３２                上側切欠部
３３                下側切欠部
５                  梁下受金具
５１                梁固定部
５２                部材固定部
５３                連結部
５５                被覆材収納部
６                  天井受レール
６１                フランジ
６２                ウエッブ
７                  梁上受け金具
７１                梁固定部
７２                部材固定部
７３                連結部
７５                被覆材収納部
８                  床受レール
８１                第一片
８２                第二片
９                  押さえ金具
【図１】
0004426715.tif 000002
【図２】
0004426715.tif 000003
【図３】
0004426715.tif 000004
【図４】
0004426715.tif 000005
【図５】
0004426715.tif 000006
【図６】
0004426715.tif 000007
【図７】
0004426715.tif 000008
【図８】
0004426715.tif 000009
【図９】
0004426715.tif 000010